(57)【要約】【課題】  塗装むらを生じることがなく、かつ、車室内の有効スペースの拡充を図りつつ、フロア固定搭載部品の取付け支持をより確実に行うことができる車体フロア構造の提供を図る。【解決手段】  フロアパネル１のシートの取付孔２の近傍にメンバ３をスポット溶接４するとともに、この取付孔２と、メンバ３のスポット溶接４との間のフロアパネル１に、室外側に凸となるビード１０を形成することにより、メンバ３によりシートの支持剛性を高めるとともに、衝突等によってフロア固定搭載部品の取付部分に引張り力Ｆが加わった際に、ビード１０が変形してメンバ３のスポット溶接４に作用する応力を緩和してフロアパネル１が剥離するのを防止し、このビード１０を室外側に凸としたので、車室内の有効スペースを拡充し、かつ、塗料槽に車体を浸漬した際にビード１０に空気溜まりが生成されるのを防止できる。【選択図】      図２
2005081984.tif 000002
【特許請求の範囲】
【請求項１】
車両用シートやシートベルトアンカ等のフロア固定搭載部品を取付け支持する車体フロア構造であって、
フロアパネルの前記フロア固定搭載部品の取付部分近傍に補剛部材を接合するとともに、このフロア固定搭載部品の取付部と補剛部材の接合部との間のフロアパネルに、室外側に凸となるビードを形成したことを特徴とする車体フロア構造。
【請求項２】
ビードは、フロア固定搭載部品の取付部を囲繞するように形成し、その一部を取付部に作用する引張り力による応力が影響しない程度の距離を隔てた部位で終端としたことを特徴とする請求項１に記載の車体フロア構造。
【請求項３】
ビードの略最下方となる部位に、ビード内に溜まった塗料液を排出する排出口を形成したことを特徴とする請求項１または２に記載の車体フロア構造。
【発明の詳細な説明】
【技術分野】
【０００１】
本発明は、車両用シートやシートベルトアンカ等のフロア固定搭載部品を取付け支持する車体フロア構造に関する。
【背景技術】
【０００２】
自動車等の車両に乗車した乗員はシートに着座した状態でシートベルトを着用して拘束することになるが、シートやシートベルトアンカ等フロア固定搭載部品は、衝突時に大きな慣性力が作用した場合にも乗員を確実に拘束しておくことが望まれる。
【０００３】
このため、前記フロア固定搭載部品はフロアパネルに強固に取付け支持する必要があり、例えば、シートベルトでは、そのアンカーをフロアパネルとレインフォースにボルト固定するとともに、この固定点よりも車両後方側のフロアパネルに凸ビードを形成し、かつ、この凸ビードよりも車両後方側で前記レインフォースをフロアパネルにスポット溶接してある（特許文献１参照）。
【特許文献１】特開２０００−５２９１９号公報（第３頁、図１）
【発明の開示】
【発明が解決しようとする課題】
【０００４】
しかしながら、かかる従来の車体フロア構造では、フロアパネルに形成した凸ビードは車内側に凸となっているため、車室内の有効スペースが減少してしまうとともに、車体の塗装ラインで塗料槽を通過させる際に、上方に凸となる前記凸ビード内に空気溜まりが発生してするため、この空気溜の存在部分で塗装むらが発生してしまう不具合がある。
【０００５】
そこで、本発明は塗装むらを生じることがなく、かつ、車室内の有効スペースの拡充を図りつつ、フロア固定搭載部品の取付け支持をより確実に行うことができる車体フロア構造を提供するものである。
【課題を解決するための手段】
【０００６】
本発明は、車両用シートやシートベルトアンカ等のフロア固定搭載部品を取付け支持するにあたって、フロアパネルの前記フロア固定搭載部品の取付部分近傍に補剛部材を接合するとともに、このフロア固定搭載部品の取付部と補剛部材の接合部との間のフロアパネルに、室外側に凸となるビードを形成したことを最も主要な特徴とする。
【発明の効果】
【０００７】
本発明の車体フロア構造は、フロアパネルのフロア固定搭載部品の取付部分は補剛部材により支持剛性を高めることができるとともに、衝突等によってフロア固定搭載部品の取付部分に引張り力が加わった際には、フロア固定搭載部品の取付部と補剛部材の接合部との間のフロアパネルに形成したビードが変形して、この補剛部材の接合部に作用する応力を緩和することができるため、この接合部からフロアパネルが剥離するのを防止してフロア固定搭載部品の支持を確実に行い、ひいては衝突時の乗員拘束性を高めることができる。
【０００８】
また、前記ビードは室外側に凸としたので、車室内の有効スペースを拡充できるとともに、車両の塗装ラインで塗料槽に車体を浸漬した際に、ビードに空気溜まりが生成されるのを防止できるため、フロアパネルに塗装むらを生ずることがなく満遍なく塗装することができるという利点がある。
【発明を実施するための最良の形態】
【０００９】
以下、本発明の一実施形態を図面と共に詳述する。
【００１０】
図１〜図３は本発明の車体フロア構造の一実施形態を示し、図１はシート取付部のフロア構造を斜め上方から見た斜視図、図２は図１中Ａ−Ａ線の対応位置から切断して示す斜視図、図３は図１中Ａ−Ａ線に沿った断面図である。
【００１１】
一般に自動車等の車両のフロアパネルにはシートを取り付けてあり、また、シートベルトのアンカー部を取り付けて固定するようになっている。
【００１２】
このようにシートやシートベルト等のフロア固定搭載部品を取付け支持する車体フロア構造では、図１に示すように、フロアパネル１にフロア固定搭載部品であるシートを固定するための取付部としての取付孔２を形成してあり、この取付孔２は車幅方向に所定間隔をもって２箇所形成してある。
【００１３】
そして、フロアパネル１の下面には、図２，図３に示すように、左右の取付孔２を中央部にして補剛部材としてのハット形断面のメンバ３を車幅方向に配置し、このメンバ３の左右両側フランジ部３ａをフロアパネル１の下面に接合部としてのスポット溶接４を介して接合してある。
【００１４】
前記取付孔２を形成した部分のフロアパネル１の下面には、図２に示すように、補剛ブラケット５を介在させた状態で取付孔２と同軸にナット６を溶接してあり、図外のシート取付用のボルトを取付孔２から挿入してナット６に螺着するようになっている。
【００１５】
ここで、この実施形態では取付孔２と、メンバ３のスポット溶接４部分との間のフロアパネル１に、室外側（図中下方）に凸となるビード１０を形成してある。
【００１６】
前記ビード１０は、図１に示すように、前後の取付孔２を囲繞するようにこれら左右の取付孔２を周回させて形成してあり、このビード１０はその一部を取付孔２に作用する引張り力Ｆによる応力が影響しない程度の距離を隔てた部位、つまり、この実施形態では左右の取付孔２間の略中央部Ｍで終端（終端部１１）としてある。
【００１７】
このとき、前記ビード１０は左右の取付孔２を囲繞したことにより、これら取付孔２の間で平行に走る部分１２が形成され、この平行部分１２の左右方向略中央部に前記終端部１１を形成してあり、この終端部１１は前記平行部分１２の対向位置に２箇所形成される。
【００１８】
また、前記ビード１０は凸となる方向が下方となっており、その略最下方となる部位、つまり、この実施形態では取付孔２をそれぞれ周回した車幅方向の前後端部１０ａに、車両を塗料槽に浸漬した際にビード１０内に溜まった塗料液を排出する排出口１３を形成してある。
【００１９】
以上の構成により本実施形態の車体フロア構造によれば、シートの取付孔２を包含するようにハット形断面のメンバ３をフロアパネル１に接合したので、このメンバ３は取付孔２の近傍に配置されることになって、この取付孔２の支持剛性を高めることができる。
【００２０】
また、取付孔２と、メンバ３のスポット溶接４部分との間のフロアパネル１にビード１０を形成したので、衝突等によって取付孔２に引張り力Ｆが加わった際に、図３中破線に示すように、前記ビード１０が変形してメンバ３のスポット溶接４に作用する応力を緩和することができるため、このスポット溶接４からフロアパネル１が剥離するのを防止して、前記取付孔２に結合したシートの支持を確実に行い、ひいては衝突時の乗員拘束性を高めることができる。
【００２１】
更に、前記ビード１０は室外側に凸としたので、車室内の有効スペースを拡充できるとともに、車両の塗装ラインで塗料槽に車体を浸漬した際に、ビード１０に空気溜まりが生成されるのを防止できるため、フロアパネル１に塗装むらを生ずることなく満遍なく塗装することができる。
【００２２】
また、本実施形態では前記作用効果に加えて、ビード１０は取付孔２を囲繞するように周回形成し、その一部を取付部に作用する引張り力Ｆによる応力が影響しない程度の距離を隔てた部位で終端１１としたので、塗装槽に浸漬した際にビード１０が取付孔１２を囲繞する部分に空気溜まりが形成されることになるが、このビード１０に形成した終端１１によって空気の逃げ道を確保できるため、ビード１０で囲繞した内方の塗装をむら無く仕上げることができる。
【００２３】
更に、凸となる方向を下方としたビード１０の略最下方となる部位（前後端部１０ａ）に、ビード１０内に溜まった塗料液を排出する排出口１３を形成したので、車体を塗料槽から引き上げた際にビード１０内の塗料液が排出口１３から排出されるため、ビード１０内方の塗装厚さが過剰に厚くなるのを防止できる。
【００２４】
ところで、本発明の車体フロア構造は前記実施形態に例をとって説明したが、この実施形態に限ることなく本発明の要旨を逸脱しない範囲で他の各種実施形態を採ることができ、例えば、本実施形態ではシートの取付部分を例にとってフロア構造を説明したが、例えばシートベルトのアンカーの取付部分にあっても同様の構成とすることができ、また、本実施形態ではシートの取付部分に例を採った関係上、取付孔２を前後に２箇所形成してあるが、この取付孔２はシートベルトアンカー用に１箇所設けた場合にも同様の作用効果を奏するのはいうまでもない。
【図面の簡単な説明】
【００２５】
【図１】本発明の一実施形態を示すシート取付部のフロア構造を斜め上方から見た斜視図である。
【図２】図１中Ａ−Ａ線の対応位置から切断して示す斜視図である。
【図３】図１中Ａ−Ａ線に沿った断面図である。
【符号の説明】
【００２６】
１  フロアパネル
２  取付孔（取付部）
３  メンバ（補剛部材）
４  スポット溶接（接合部）
１０  ビード
１１  終端部
１３  排出口
【図１】
2005081984.tif 000003
【図２】
2005081984.tif 000004
【図３】
2005081984.tif 000005